(57)【特許請求の範囲】
【請求項１】
基紙（Ｂ）の表面に虹彩色の真珠顔料と接着剤を主体とした塗工層（１）が形成され、この塗工層（１）とは重ならない別の箇所の基紙の表面に、塗工層（１）に使用した虹彩色の真珠顔料の色相とは異なる虹彩色の真珠顔料と接着剤を主体とした塗工層（２）が形成され、これら２つの虹彩色の真珠顔料の色相が互いに補色関係にあることを特徴とする偽造防止用紙。
【請求項２】
塗工層（１）および塗工層（２）が、基紙の流れ方向に連続的な筋状の塗工層として形成されていることを特徴とする請求項１記載の偽造防止用紙。
【請求項３】
塗工層（１）および／または塗工層（２）に紫外蛍光物質を添加してあることを特徴とする請求項１または２記載の偽造防止用紙。
【請求項４】
塗工層（１）および／または塗工層（２）に赤外蛍光物質を添加してあることを特徴とする請求項１または２記載の偽造防止用紙。
【請求項５】
塗工層（１）および／または塗工層（２）に赤外線吸収物質を添加してあることを特徴とする請求項１または２記載の偽造防止用紙。
【請求項６】
塗工層（１）および／または塗工層（２）に紫外線吸収物質を添加してあることを特徴とする請求項１または２記載の偽造防止用紙。
【請求項７】
請求項１乃至６のいずれか１項に記載の偽造防止用紙に所定事項を印刷した印刷層を形成してあることを特徴とする偽造防止印刷物。
【発明の詳細な説明】
【０００１】
【発明の属する技術分野】
本発明は、偽造防止用紙及び偽造防止印刷物に関する。より詳しくは、カラー複写機によるコピーや、カラースキャナーとカラープリンターによるプリントを行っても原稿（本物）とは全く異なった色調の複写物やプリントしか得られない偽造防止用紙及び偽造防止印刷物に関する。
【０００２】
【従来の技術】
最近の複写機やプリンターの精度向上は著しく、特に電子写真方式のカラー複写機やカラープリンターの普及は各種の有価証券類等の偽造を容易にしている。
これを防止するため種々の偽造防止手段が考えられているが、その一つに、現在のカラー複写機やカラープリンターでは光輝性を有するもの、例えば金属色を再現することが出来ないことを利用したものがある。
【０００３】
例えば実開昭５８−１６８７５４号に提案されているように、基紙上面に、金属色調顕著なアルミ箔などの光輝版を設け、且つ該光輝版表面に文字図柄を施してなる「複写機によるコピー不能用紙」の提案がある。これをコピーすると、用紙面に施された文字図柄は複写機の光線照射があると箔表面が黒ずんでコピーされるので読みとり不可能となる。
この用紙は複写そのものが不可能（複写物の読みとりが出来ない）という長所はあるが、光輝版の用紙に占める面積が大きいために金属色が強調されすぎて違和感があることが欠点である。また用紙の製造工程が複雑となり、必然的にコスト高になること等の別の問題点もある。
【０００４】
これらの問題点を解決することを目的として本発明者等は、特開平６−３１３２９８号において、基紙表面に真珠顔料と接着剤を主体とした部分的な塗工層を形成したことを特徴とする偽造防止用紙の提案を行った。この提案の偽造防止用紙を使用して製造した偽造防止印刷物は、１）カラー複写機で複写を試みても、基紙の一部に設けられた真珠顔料層の光沢と色相は再現できないため、偽造したものであるか否かの判定が即座に可能となること、２）真珠顔料はおだやかな色なので、金属色調の光輝版を利用した偽造防止用紙と比較して違和感がないこと、３）印刷技術で用紙を製造できるので小ロット生産に対応できること、４）古紙から製紙用繊維の回収が容易に行えること、等の優れた効果を有している。
【０００５】
【発明が解決しようとする課題】
一方、偽造防止用紙や偽造防止印刷物に対する偽造防止効果は益々高度なものが要求されるようになり、例えば前記特開平６−３１３２９８号に開示したような真珠顔料を含む塗工層を有する偽造防止用紙においても、より高度の偽造防止効果が要求されている。
【０００６】
しかしながら、高度な偽造防止効果を備えた偽造防止用紙であっても、偽造防止手段が用紙に違和感を与えたり、用紙に所定事項の印刷を施して偽造防止印刷物とした場合に、所定事項の印刷に悪影響を及ぼしたりするものであってはならない。
【０００７】
そこで本発明は、偽造防止手段として真珠顔料を含む塗工層を利用するとともに、さらに偽造防止効果を高めることができ、しかも用紙表面に違和感を与えたり、所定事項の印刷に悪影響を及ぼすことのない偽造防止用紙を提供すること、さらにはこの偽造防止用紙を用いた偽造防止印刷物を提供することを課題とする。
【０００８】
【課題を解決するための手段】
すなわち本発明の偽造防止用紙は、図１中の参照番号を引用して説明すると、基紙Ｂの表面に虹彩色の真珠顔料と接着剤を主体とした塗工層１が形成され、この塗工層１とは重ならない別の箇所の基紙の表面に、塗工層１に使用した虹彩色の真珠顔料の色相とは異なる虹彩色の真珠顔料と接着剤を主体とした塗工層２が形成され、これら２つの虹彩色の真珠顔料の色相が互いに補色関係にあることを特徴とするものである。
【０００９】
本発明で用いる真珠顔料は虹彩色を発するものであり、見る角度で色相が変化することが特徴である。すなわち、例えば乱反射光下では赤色に見える虹彩色真珠顔料は、正反射光下では、赤色に対して補色の関係にある青緑色の真珠光沢が視認できる。また、乱反射光下では青緑色に見える虹彩色真珠顔料の場合には、正反射光下では、その補色である赤色の真珠光沢が視認できる。ここで補色とは、光の場合、混ぜ合わせたときに無彩色となる２色の関係を言い、マンセルの色相環で互いに反対側同士にある色がこれに相当する。例えば赤色に対しては青緑色が、紫色に対しては黄緑色などがその例である。本発明においてはかような虹彩色を発する真珠顔料を用いることにより、偽造防止効果を高めることができる
【００１０】
さらに本発明においては、塗工層１および塗工層２の虹彩色真珠顔料として、色相が互いに補色関係にある異色の２つの虹彩色真珠顔料を用いるのである。例えば、塗工層１の虹彩色真珠顔料として、乱反射光下では青緑色に見え、正反射光下では赤色に見えるものを用い、塗工層２の虹彩色真珠顔料として、乱反射光下では青緑色と補色の関係にある赤色に見え、正反射光下では青緑色に見えるものを用いる。かような塗工層１と塗工層２の組み合わせの場合には、乱反射光下では塗工層１の青緑色と塗工層２の赤色とにより色相のコントラストを際だたせる効果をもたらし、一方、正反射光下の観察時には塗工層１が赤色に見え、塗工層２が青緑色に見えるため、乱反射光下の観察時とは色相が逆転するという意外感をもたらし、意匠的な効果のみならず偽造防止効果も高めることができる。
【００１１】
本発明の偽造防止用紙においては、製造上の観点からは、塗工層１および塗工層２は、基紙の流れ方向に連続的な筋状の塗工層として形成することが好ましい。
また本発明によれば、かような偽造防止用紙に所定事項を印刷した印刷層を形成することにより偽造防止印刷物を提供することができる。
【００１２】
【発明の実施の形態】
本発明に用いる基紙は、針葉樹晒クラフトパルプ（ＮＢＫＰ），広葉樹晒クラフトパルプ（ＬＢＫＰ），針葉樹晒サルファイトパルプ（ＮＢＳＰ），サーモメカニカルパルプ（ＴＭＰ）等の製紙用パルプを主体としこれに乾燥紙力増強剤、湿潤紙力増強剤、サイズ剤、定着剤、歩留り向上剤、濾水性向上剤、消泡剤、染料、着色顔料、蛍光剤などを適宜併用し、通常フリーネス５５０〜２５０ｍｌＣ．Ｓ．Ｆ．で長網抄紙機や円網抄紙機等の公知の抄紙機を使用して抄紙する。
【００１３】
本発明ではさらに、抄紙途上で紙面に澱粉、ポリビニルアルコール、各種表面サイズ等をサイズプレス装置等で塗工することも可能である。さらに必要に応じ、マシンカレンダー処理やスーパーカレンダー処理を施し、表面平滑性を向上させることも適宜行われる。
【００１４】
また本発明に用いる基紙には、他の偽造防止手段を予め付与しておくこともできる。例えば、すき入れ、染色繊維や紫外線や赤外線で可視光を発する紫外蛍光発色繊維、赤外蛍光発色繊維、紫外蛍光発色粒子、赤外蛍光発色粒子などの混抄、スレッドの抄込み等の公知の偽造防止手段を基紙に付与しておくことができる。これにより偽造防止効果をより一層高めることができる。
【００１５】
本発明に使用する虹彩色の真珠顔料としては、例えば雲母粉末の表面に酸化チタン等の金属酸化物の薄膜を形成したものが挙げられる。金属酸化物薄膜の厚みを一定の範囲に入るように正確に制御することにより、虹彩色を発現する真珠顔料が得られる。本発明では、真珠顔料メーカーが「虹彩色タイプの真珠顔料」として製造販売しているものをいずれも使用できる。
【００１６】
本発明で使用する接着剤は、澱粉水溶液、アルカリカットしたカゼイン水溶液、スチレン−ブタジエン共重合ラテックス、メチルメタクリレート−ブタジエン共重合ラテックス、ポリ酢酸ビニルエマルジョン、ポリアクリル酸エステルエマルジョン等の単独若しくは混合物からなる水系の接着剤や、フェノール樹脂、アルキッド樹脂、石油樹脂、ビニル樹脂、ポリアミド樹脂、アクリル樹脂、ニトロセルロース、環化ゴム、塩化ゴム等の単独あるいは混合物を有機溶剤に溶解した接着剤等をいずれも使用できる。
【００１７】
塗工層を形成するための塗工液中の虹彩色真珠顔料と接着剤の使用割合は、虹彩色真珠顔料の使用比率が高ければ高いほど虹彩色の真珠光沢感が高まるが表面強度が不足するので、乾燥重量換算で通常は虹彩色真珠顔料１００部に対して接着剤５０〜５００部とする。この際、本発明の目的を阻害しない範囲で耐水化剤、硬化剤、着色剤、粘度調製剤、ブロッキング防止剤、防腐剤、防カビ剤等の副資材を塗工液中に適宜併用することもできる。
【００１８】
このようにして製造した塗工液を基紙の表面に塗工して塗工層を形成する際の塗工厚み（乾燥換算）は、薄すぎると虹彩色の真珠光沢感が失われ、厚すぎると塗工部分がカールしたり用紙を積み重ねたときに部分的に盛り上がる等の弊害が起きやすいので、通常１〜１５μｍ、好ましくは３〜１０μｍとする。
【００１９】
図１は、基紙Ｂの表面に塗工層１と塗工層２を形成した本発明の偽造防止用紙の実施例を示している。この場合、塗工層１の虹彩色真珠顔料と塗工層２の虹彩色真珠顔料とは、色相が互いに補色関係にある異色のものを使用する。なお、塗工層１の虹彩色真珠顔料と塗工層２の虹彩色真珠顔料との間の補色関係は、厳密な補色関係でなくても、補色関係に近似した組み合わせ、例えば赤色に近い色相に対して緑色に近い色相といった実質的に補色関係といえる組み合わせも含むものとする。
【００２０】
例えば図１の塗工層１には、乱反射光下で青緑色に見え、正反射光下で赤色に見える虹彩色真珠顔料を用い、塗工層２には、乱反射光下で青緑色と補色の関係にある赤色に見え、正反射光下で青緑色に見える虹彩色真珠顔料を用いた場合を考えると、乱反射光下では塗工層１の青緑色と塗工層２の赤色とにより色相のコントラストを際だたせる効果をもたらし、一方、正反射光下の観察時には塗工層１が赤色に見え、塗工層２が青緑色に見えるため、乱反射光下の観察時とは色相が逆転して見えることになる。
【００２１】
基紙Ｂの表面に形成する塗工層としては、図１に示したように、基紙の流れ方向に対して連続的な筋状に形成することが、製造上の観点から効率的である。図１では、一定幅の直線状の筋として塗工層１と塗工層２を隣接させて形成しているが、例えば図２に示したように、塗工層１と塗工層２とを間隔を空けて平行に形成することもできる。また図３に示したように、塗工層１（あるいは塗工層２）を波形の筋状としてその中に例えばアルファベット文字のような文字や図柄の非塗工部分３を形成することもできる。
【００２２】
筋状の塗工層１の形成方法は、格子型、斜線型、ピラミッド型、亀甲型等のセルを筋状に刻んだグラビアロールを用いてグラビア塗工する方法、ダイコーターを用いてストライプ形状の塗工層を形成する方法、印刷機を使用して筋状形状の塗工層を形成する方法等、任意の方法を採用できる。
【００２３】
さらに塗工層の形状としては筋状とせずに任意の図柄として形成することもできる。例えば図４は、塗工層１および塗工層２をいずれも円形として基紙表面に分散して形成させた例を示している。塗工層の図柄としては、円以外にも、楕円、正方形、長方形、星形、六角形、ハート形、クローバー形、任意の文字など種々の形状が選択できる。
【００２４】
本発明では、塗工層１または塗工層２のいずれか一方あるいは両方に紫外蛍光物質を添加することにより、偽造防止効果をより一層高めることができる。室内光や自然光のもとでは紫外蛍光物質の存在を視認できないが、ブラックライト等を使用して紫外線を用紙に照射すると塗工層１および／または塗工層２に含ませた紫外蛍光物質が特定の色に発色して見えるからである。
【００２５】
紫外蛍光物質としては、従来公知の紫外蛍光染料や、無機若しくは有機の紫外蛍光顔料をいずれも使用できる。すなわち紫外蛍光発色染料としては、フルオレッセイン、クマリン系、オキサゾール系、ピラゾリン系、チアジアゾール系、スピロピラン系、ピレンスルホン酸系、ベンゾイミダゾール系、ジアミノスチルベン系等の周知の染料を使用できる。
【００２６】
有機の紫外蛍光顔料としては、ポリ塩化ビニル樹脂、アルキッド樹脂、ポリメタクリル酸エステル樹脂、ユリア樹脂、メラミン樹脂等の樹脂にフルオレッセイン、エオシン、ローダミン６Ｇ、ローダミンＢ、ベーシックイエローＨＧ等の染料を均一に溶解して粉砕したもの等を挙げることができる。
【００２７】
また、無機の紫外蛍光顔料としては具体的には、銅、銀、マンガン等で活性化した硫化亜鉛；マンガン等で活性化したケイ酸亜鉛；銀、銅等で活性化した硫化亜鉛；カドミウム、ビスマス等で活性化した硫化カルシウム；サマリウム、セリウム等で活性化した硫化ストロンチウム；鉛等で活性化したタングステン酸カルシウム；ユーロピウム等で活性化したＳｒ5 (ＰＯ4  ）3 Ｃｌ；マンガン等で活性化したＺｎ2 ＧｅＯ2 ；ユーロピウム等で活性化したＹ2 Ｏ2 Ｓ；ユーロピウム等で活性化したＹ2 Ｏ3 等を挙げることができる。また、必要に応じて、これらにアントラキノン系やアセトフェノン系等の増感剤を併用することもできる。
【００２８】
また本発明では、塗工層１または塗工層２のいずれか一方あるいは両方に赤外蛍光物質を添加することにより、偽造防止効果をより一層高めることができる。室内光や自然光のもとでは赤外蛍光物質の存在を視認できないが、赤外発光ダイオードや赤外線レーザー等を使用して赤外線を用紙に照射すると塗工層１および／または塗工層２に含ませた赤外蛍光物質が特定の色に発色して見えるからである。
【００２９】
赤外蛍光物質としては、有機または無機の赤外蛍光顔料のいずれも使用でき、Ｙｂ3+、Ｅｒ3+、Ｈｏ3+を付活剤とする希土類蛍光体等が挙げられる。例えばＹＦ3 ：Ｙｂ＋Ｅｒは赤外線の照射で緑や赤に発色し、ＹＦ3 ：Ｙｂ＋Ｔｍは赤外線の照射で青に発色する。
【００３０】
また本発明では、塗工層１または塗工層２のいずれか一方あるいは両方に赤外線吸収物質を添加することにより、偽造防止効果をより一層高めることができる。室内光や自然光のもとでは赤外線吸収物質の存在を視認できないが、赤外発光ダイオードや赤外レーザー等を使用して赤外線を用紙に照射すると塗工層に含まれる赤外線吸収物質の作用で塗工層１および／または塗工層２が黒く見えるからである。
【００３１】
赤外線吸収物質としては、ジイモニウム系、アミニウム系、キノン系、アントラキノン系、ポリメチン系、シアニン系、フタロシアニン系、トリフェニルアミン系、トリアゾール系等の周知の赤外線を選択的に吸収する色素等をいずれも使用できる。
【００３２】
さらに本発明では、塗工層１または塗工層２のいずれか一方あるいは両方に紫外線吸収物質を添加することにより、偽造防止効果をより一層高めることができる。室内光や自然光のもとでは紫外線吸収物質の存在を視認できないが、ブラックライト等を使用して紫外線を用紙に照射すると塗工層に含まれる紫外線吸収物質の作用で塗工層１および／または塗工層２が黒く見えるからである。
紫外線吸収物質としては、サリチル酸系、ベンゾフェノン系、ベンゾトリアゾール系などの周知の紫外線を選択的に吸収する物質をいずれも使用できる。
【００３３】
本発明によれば、上述した偽造防止用紙に所定事項の印刷を施すことにより偽造防止印刷物を製造することができる。図５はその一例で、窓開きスレッド入り紙を使用して本発明の偽造防止用紙を製造し、その表面に所定の印刷を施して商品券を製造した例である。すなわち、間欠的に紙層を薄くして形成した窓開き部１０で、紙層内に埋設されたスレッド１１が露出している窓開きスレッド入り紙に、図１に示したような塗工層１と塗工層２を形成したものである。かような偽造防止印刷物によれば、用紙にスレッド１１を埋設するという偽造防止手段と、虹彩色真珠顔料による塗工層１と塗工層２の形成という本発明による偽造防止手段とが二重に施されていることになり、偽造防止効果をより一層付与することができる。
【００３４】
【実施例】
以下に実施例を挙げて本発明を具体的に説明する。実施例で用いた基紙および塗工液の調製例は以下の通りである。
【００３５】
［基紙の製造］
ＮＢＫＰ２０重量部，ＬＢＫＰ８０重量部を３５０ｍｌＣ．Ｓ．Ｆ．に叩解し、これに白土１０重量部、紙力増強剤（商品名「ポリストロン１９１」、荒川化学工業（株）製）０．３重量部、サイズ剤（商品名「サイズパインＥ」、荒川化学工業（株）製）１．０重量部、硫酸バンドを適量加え紙料を調製し、長網抄紙機を使用して常法により坪量１００ｇ／ｍ2 の基紙を抄造した。
【００３６】
［塗工液Ａの調製］
乱反射光下で赤色に近い虹彩色、正反射光下では緑色の虹彩色に見える真珠顔料（商品名「イリオジン２３５」、メルク・ジャパン（株）販売）１００乾燥重量部、接着剤（「ポリビニルアルコール」、（株）クラレ製造）１００乾燥重量部よりなる水系の塗料を調製した。
【００３７】
［塗工液Ｂの調製］
乱反射光下で緑色に近い虹彩色、正反射光下では赤色の虹彩色に見える真珠顔料（商品名「イリオジン２１５」、メルク・ジャパン（株）販売）１００乾燥重量部、接着剤（「ポリビニルアルコール」、（株）クラレ製造）１００乾燥重量部よりなる水系の塗料を調製した。
【００３８】
［塗工液Ｃの調製］
乱反射光下で緑色に近い虹彩色、正反射光下では赤色の虹彩色に見える真珠顔料（商品名「イリオジン２１５」）１００乾燥重量部、接着剤（「ポリエステル樹脂」、東洋紡（株）製造）１５０乾燥重量部、シアニン系赤外線吸収物質（商品名「カヤソルブＩＲ７５０」、日本化薬（株）製造）よりなる有機溶剤系の塗料を調製した。
【００３９】
［実施例１］
前記塗工液Ａを使用して、グラビアコーターで幅８ｍｍの直線状の筋を前記基紙に塗工し、厚み５μｍの筋状の塗工層１を形成した。
次いで塗工液Ｂを使用して、グラビアコーターで幅８ｍｍの直線状の筋からなる厚み５μｍの塗工層２を上記筋状の塗工層１に隣接して塗工し偽造防止用紙を製造した。
得られた偽造防止用紙の塗工層１および塗工層２は図１に示したようになり、乱反射光下では塗工層１（塗工液Ａ）が赤色に近い虹彩色、塗工層２（塗工液Ｂ）が緑色に近い虹彩色として視認され、一方、正反射光下では塗工層１（塗工液Ａ）が緑色の虹彩色、塗工層２（塗工液Ｂ）が赤色の虹彩色となり色相が逆転して視認された。
【００４０】
次いで、この偽造防止用紙に、所定事項をオフセット印刷機を使用してカラー印刷した。得られた偽造防止印刷物を電子写真方式のカラー複写機（商品名「ピクセル」、キャノン（株）製造）で複写したところ、塗工層１（塗工液Ａ）の部分は薄い緑色に、塗工層２（塗工液Ｂ）の部分は薄い赤色に複写されたが、虹彩色の真珠光沢は全く複写されず、原稿（本物）と複写物の差は明確に認められた。
【００４１】
［実施例２］
前記塗工液Ａを使用して、グラビア印刷機で直径１０ｍｍ、厚み５μｍの円形の図柄からなる塗工層１を分散させて前記基紙に印刷した。
次いで塗工液Ｃを使用して、グラビア印刷機で直径１０ｍｍ、厚み５μｍの円形の図柄からなる塗工層２を塗工層１と重ならないように分散させて前記塗工紙に印刷して偽造防止用紙を製造した。
得られた偽造防止用紙の塗工層１および塗工層２は図４に示したようになり、乱反射光下では塗工層１（塗工液Ａ）の円が赤色に近い虹彩色、塗工層２（塗工液Ｃ）の円が緑色に近い虹彩色として視認され、一方、正反射光下では塗工層１（塗工液Ａ）の円が緑色の虹彩色、塗工層２（塗工液Ｃ）の円が赤色の虹彩色となり色相が逆転して視認された。
【００４２】
次いで、この偽造防止用紙に、所定事項をオフセット印刷機を使用してカラー印刷した。得られた偽造防止印刷物をカラースキャナー（商品名「ＧＴ−９０００」、エプソン（株）製造）で読込み、カラーインクジェットプリンター（商品名「キャノンＢＪ−Ｆ８７０」、キャノン（株）製造）で出力したところ、塗工層１（塗工液Ａ）の円は薄い緑色に、塗工層２（塗工液Ｃ）の円は薄い赤色にプリントされたが、虹彩色の真珠光沢は全くプリントされず、原稿（本物）とプリントの差は明確に認められた。
【００４３】
また、この偽造防止印刷物に波長８８０ｎｍの赤外線を照射し、赤外線も感知できるＣＣＤビデオカメラで撮影して画像をＣＲＴに出力したところ、塗工層２（塗工液Ｃ）の円は黒く写っており、本物とは明確に区別できた。
【００４４】
【発明の効果】
以上説明したところからわかるように、本発明の偽造防止用紙及び偽造防止印刷物は下記に述べる顕著な効果を有する。
【００４５】
１）カラー複写機で複写したり、カラースキャナーでスキャンしてカラープリンターで出力することで偽造を試みても、用紙に形成された真珠顔料を含む塗工層の真珠光沢と色相は再現できないため、偽造されたものであるか否かの判定が即座に可能となる。
【００４６】
２）真珠顔料はおだやかな色なので、金属色調の光輝版を利用した偽造防止用紙と比較して違和感がない。
【００４７】
３）印刷技術で用紙に塗工層を形成できるので小ロットの製造にに対応できる。
【００４８】
４）古紙から製紙用繊維の回収が容易に行える。
【００４９】
５）２つの塗工層に、色相が互いに補色関係にある２種類の虹彩色の真珠顔料を用いるため、正反射光下の観察時には乱反射光下の観察時とは色相が逆転して見え、意匠的な効果のみならず偽造防止効果も高めることができる。
【００５０】
６）塗工層に紫外蛍光物質、赤外蛍光物質、紫外線吸収物質または赤外線吸収物質を添加することにより、偽造防止効果をより一層高めた偽造防止用紙や偽造防止印刷物を提供することができる。
【００５１】
７）このような特性を生かし、本発明の偽造防止用紙は、小切手用紙、株券用紙、債券用紙、紙幣用紙、商品券用紙、パスポート用紙、各種チケット用紙、乗車券、投票用紙などに好適に使用できる。
【図面の簡単な説明】
【図１】  基紙の表面に筋状の塗工層１と筋状の塗工層２を隣接させて形成した本発明の偽造防止用紙の実施例を示す平面図である。
【図２】  基紙の表面に筋状の塗工層１と筋状の塗工層２を間隔を空けて形成した本発明の偽造防止用紙の実施例を示す平面図である。
【図３】  塗工層の形状の一例を示す説明図である。
【図４】  基紙の表面に円形の塗工層１と円形の塗工層２を分散させて形成した本発明の偽造防止用紙の実施例を示す平面図である。
【図５】本発明の偽造防止印刷物の一例を示す平面図である。
【符号の説明】
１：虹彩色真珠顔料と接着剤を主体とした塗工層
２：塗工層１とは異なる色相の虹彩色真珠顔料と接着剤を主体とした塗工層
Ｂ：基紙
【図１】
0004779217.tif 000002
【図２】
0004779217.tif 000003
【図３】
0004779217.tif 000004
【図４】
0004779217.tif 000005
【図５】
0004779217.tif 000006